(57)【要約】【課題】  ランプ開口部の２次照明光になる可能性の強い部分に反射手段を備え、積極的に照明光をリフレクタに反射させることにより、安価で比較的単純な光学部品でフレアの発生量を減らし、ランプ光量を低下させることなく、原稿濃度が変化して生じる濃度むらによる読み取り画像品質の低下を防ぐ、とくにキセノンランプなどの蛍光管でかつ開口部を有している照明装置を搭載した画像読み取り装置を提供する。【解決手段】  照明ランプ２２と原稿２０面の読み取りラインに対して前記照明ランプ２２の反対側に設けられたリフレクタ２３とで原稿２０面を照明し、読み取り位置である原稿面からの反射光を導いて結像手段２６により撮像素子１６上に結像させ原稿画像を読み取る光学系を備えた画像読み取り装置において、前記照明ランプ２２と前記原稿２０面の間に反射手段２７、３３を備えている。【選択図】  図３
2005229429.tif 000002
【特許請求の範囲】
【請求項１】
原稿面の読み取りラインに対して照明ランプの反対側に設けられたリフレクタとで原稿面を照明し、読み取り位置である原稿面からの反射光を導いて結像手段により撮像素子上に結像させ原稿画像を読み取る光学系を備えた画像読み取り装置において、前記照明ランプと前記原稿面の間に反射手段を備えていることを特徴とする画像読み取り装置。
【請求項２】
前記反射手段は、前記照明ランプからの照明光を前記リフレクタに向かって反射させるように配置されていることを特徴とする請求項１記載の画像読み取り装置。
【請求項３】
前記反射手段は、集光手段を備えている反射集光手段であることを特徴とする請求項２記載の画像読み取り装置。
【請求項４】
前記反射集光手段は、曲面によって構成されていることを特徴とする請求項３記載の画像読み取り装置。
【請求項５】
前記反射集光手段が曲面に近似した少なくとも１つ以上の平面の組み合わせによって構成されていることを特徴とする請求項３記載の画像読み取り装置。
【請求項６】
前記照明ランプからの光を反射させる前記リフレクタとは別に前記反射手段の反射光を前記原稿面に反射させるリフレクタ手段を備えていることを特徴とする請求項１記載の画像読み取り装置。
【請求項７】
前記リフレクタ手段は、前記反射手段からの反射光を前記原稿面に集光させる反射集光手段を備えていることを特徴とする請求項６記載の画像読み取り装置。
【請求項８】
前記反射集光手段は、曲面から構成されていることを特徴とする請求項７記載の画像読み取り装置。
【請求項９】
前記反射集光手段が曲面に近似した少なくとも１つの平面の組み合わせによって構成されていることを特徴とする請求項７記載の画像読み取り装置。
【請求項１０】
前記リフレクタ手段に拡散手段を備えることを特徴とする請求項６記載の画像読み取り装置。
【請求項１１】
前記リフレクタ手段に反射率を１０％から２０％減らす減反射手段を備えることを特徴とする請求項６記載の画像読み取り装置。
【発明の詳細な説明】
【技術分野】
【０００１】
本発明は、デジタルＰＰＣに搭載されたスキャナ、フィルムスキャナなどの画像読み取り装置に関するものである。
【背景技術】
【０００２】
特に、画像読み取りに際して、フレア現象による読み取り画像品質低下の防止に関しては、以下のような技術が従来から知られている（例えば、特許文献１および２参照）。
特許文献１においては、フレアの発生量を減らすことを主眼としている。この特許文献１に開示の技術ではレンズなど高価な光学部品を必要としており、低コスト化が困難となっている。 他に一般的に用いられているフレア現象の発生量を減らす手法として、スキャナに内蔵されている照明装置と原稿面の間に、原稿への照明光以外の余分な光を排除するための遮光板や反射板を設ける手法などが知られている。
また、特許文献２や公知技術は、原稿面に到達した照明光が反射して、再度原稿を照明する再照明光を低減するための手法が開示されている。そして特に、特許文献２では、光源近傍の遮光板の光源側に反射率の高い曲面を備えることで光量を確保しながらフレア光を低減する手法となっている。しかし、実際には光源内の多重反射により光量が確保できないという問題があった。
【特許文献１】特開平９−１３０５４０号公報
【特許文献２】特開２００２−２４７２９７公報
【発明の開示】
【発明が解決しようとする課題】
【０００３】
デジタルＰＰＣなどに搭載されているスキャナは原稿の濃度を正確に読み取ることが必要である。原稿読み取り濃度を決定する構成要素は、ＣＣＤなどの撮像素子の感度、レンズなど光学系による読み取り位置、ランプの発光量と、ランプと光学系と原稿を含めた総合的な照明光量の４つの要素がある。以下に述べるフレア現象は、この読み取り位置、発光量、総合的な照明光量にかかるものである。
図２０はフレア現象を説明するための、画像読み取り装置における照明関係図である。図２１はフレア現象が生じている画像読み取り装置による読み取り画像の例を示す図である。
スキャナには照明装置が内蔵されており、一般的なスキャナではライン状に原稿を読み取り、これを走査することで２次元の画像を読み取っている（線順次画像読み取りという）。
その際、照明装置１と原稿面との距離が小さいため、図２０に示すように画像読み取り装置の照明装置１からの照明光２が原稿３の面（原稿面）に当って、リフレクタ４や照明装置１などのスキャナ内光学部品を反射して再度原稿を再照明する再照明光５を生じる現象があることが知られている。
これを「フレア現象」と呼ぶ。照明装置１から原稿３の面に到達する照明光２を１次照明光、原稿面を反射して再度原稿面を照明する光５を２次照明光とする。このフレア現象が生じると、同一原稿濃度なのにその周辺の原稿濃度の差によって、スキャナ読み取り画像信号が変化する。
これは２次照明光５が原稿面３で反射するさいに原稿濃度によって反射光量が変化するため、１次照明光２と２次照明光５の合計である照明光が原稿濃度によって変わってしまうことから生じる。特に上記現象は原稿において急激に濃度が変化する部位で目立つ。
しかも近年キセノンランプなどの蛍光管で開口部６があるランプを用いた照明装置１が主流になっている。本ランプを搭載したスキャナの場合、照明光量を最大限に得るためにランプの発光特性からランプをできるだけ原稿設置面に近づける構成を取ることになる。
その際再照明光の反射する光学部品として、ランプ自体の蛍光面７があり、再反射のほとんどがこのランプ自体の蛍光面７で発生していることが知られている。
【０００４】
図２１に実際に生じたフレア現象を有する読み取り画像例を示している。黒パターン部８に挟まれた境界部１０が白パターン部９と比べて暗く読み取られている。原稿の白パターンは濃度が均一であるため、明らかに読み取り画像としては劣化していることになる（理想的には境界部１０と白パターン部９は同じ明るさにならなければならない）。
これは黒パターン部８に挟まれた領域をスキャナが読んださい、その両側が黒いため、２次照明光が白パターン部９を読み取った場合と比較して相対的に減ってしまうためである。
全般に、スキャナは、原稿反射率が低い領域ほど暗く画像を読み取り、原稿反射率が高い領域ほど明るく画像を読み取ることになる。つまり黒文字原稿において文字内の白部がスキャナ画像においては暗くなり、結果的にコントラストが低下して読みづらくなってしまうなどの不良となって認識される。
これは２次照明光５が基本的には原稿面３で照明光２が反射した位置を中心に再照明しており、そのため、原稿の急な濃度変化（白黒パターンの境界部など）があった場所でより２次照明光５の変化が大きくなってしまうからである。
そこで、スキャナの設計段階においては、原稿面を反射した２次照明光５が再度原稿を照明しないように、光学系部品を黒く塗装したり、レイアウトを適正化するなどの対応をしている。しかし、２次照明光５による再照明を完全にはなくせず、読み取り画像品質上の課題となっていた。とくに文字部の周辺が急激に暗くなり、コピー画像などで地汚れが発生して、極端な画像品質劣化を招く場合があった。以上の現象は特許文献１，２についてもいえることである。
本発明の目的は、以上の問題に鑑みて、ランプ開口部の２次照明光になる可能性の強い部分に反射手段を備え、この反射手段によって積極的に照明光をリフレクタに反射させることにより、安価で比較的単純な光学部品でフレアの発生量を減らし、ランプ光量を低下させることなく、原稿濃度が変化して生じる濃度むらによる読み取り画像品質の低下を防ぐ照明装置を搭載した画像読み取り装置を提供することにある。
【課題を解決するための手段】
【０００５】
上記目的を達成するために、請求項１記載の発明は、原稿面の読み取りラインに対して照明ランプの反対側に設けられたリフレクタとで原稿面を照明し、読み取り位置である原稿面からの反射光を導いて結像手段により撮像素子上に結像させ原稿画像を読み取る光学系を備えた画像読み取り装置において、前記照明ランプと前記原稿面の間に反射手段を備えていることを特徴とする。
また、請求項２記載の発明は、前記反射手段は、前記照明ランプからの照明光を前記リフレクタに向かって反射させるように配置されている請求項１記載の画像読み取り装置を特徴とする。
また、請求項３記載の発明は、前記反射手段は、集光手段を備えている反射集光手段である請求項２記載の画像読み取り装置を特徴とする。
また、請求項４記載の発明は、前記反射集光手段は、曲面によって構成されている請求項３記載の画像読み取り装置を特徴とする。
また、請求項５記載の発明は、前記反射集光手段が曲面に近似した少なくとも１つ以上の平面の組み合わせによって構成されている請求項３記載の画像読み取り装置を特徴とする。
また、請求項６記載の発明は、前記照明ランプからの光を反射させる前記リフレクタとは別に前記反射手段の反射光を前記原稿面に反射させるリフレクタ手段を備えている請求項１記載の画像読み取り装置を特徴とする。
また、請求項７記載の発明は、前記リフレクタ手段は、前記反射手段からの反射光を前記原稿面に集光させる反射集光手段を備えている請求項６記載の画像読み取り装置を特徴とする。
また、請求項８記載の発明は、前記反射集光手段は、曲面から構成されている請求項７記載の画像読み取り装置を特徴とする。
また、請求項９記載の発明は、前記反射集光手段が曲面に近似した少なくとも１つの平面の組み合わせにより構成されている請求項７記載の画像読み取り装置を特徴とする。
また、請求項１０記載の発明は、前記リフレクタ手段に拡散手段を備えている請求項６記載の画像読み取り装置を特徴とする。
また、請求項１１記載の発明は、前記リフレクタ手段に反射率を１０％から２０％減らす減反射手段を備え得ている請求項６記載の画像読み取り装置を特徴とする。
【発明の効果】
【０００６】
本発明によれば、ランプから原稿に照射された光が反射して、その反射光がランプ内に到達して再度原稿を２次照明する現象が発生する前に、２次照明光になる可能性の高い照明光の一部を、ランプと原稿の間に設置された反射手段により反射させて積極的にリフレクタに反射させる。
それによって、原稿の濃淡による２次照明光の影響がなくなり、高品質に原稿の画像を読み取ることができ、また、リフレクタに送った照明光は常に一定であり、戻った光も照明光として照射されるので全体光量が落ちないという効果がある。
【発明を実施するための最良の形態】
【０００７】
以下、本発明の実施の形態について図を参照しながら説明する。図１は本発明の画像読み取り装置の構成を示す概略斜視図である。図２は図１の画像読み取り装置の側面図である。
図１および図２において、本発明の画像読み取り装置１１の基本構成をまず述べる。図２において、原稿２０がコンタクトガラス２１上に設置され、レンズ（第１走行体）１３がランプ２２の光、およびランプ２２の光を受けたリフレクタ２３の光が撮像領域２４に照射される。
その撮像領域２４の反射光がレンズ（第１走行体）１３およびレンズ（第２走行体）１４内の折り返しミラー２５を通してレンズ２６によって１次元撮像装置（素子）１６面に結像し、１次元撮像素子１６が撮像領域２４の画像を１次元につき取得する。
画像読み取り装置としては、第１走行体１３と第２走行体１４は、図１に示す駆動伝達手段１８を通じてモータ１７による駆動を受け、コンタクトガラス２１面に対して垂直方向に導かれる撮像領域２４の反射光が、レンズ１３及びレンズ１４を介して１次元撮像素子１６面に像を結ぶ状態を保ちながらコンタクトガラス２１面に沿ってレンズ１３及びレンズ１４を走行させることで、コンタクトガラス２１上にある原稿２０の画像を１次元撮像素子１６にて２次元に取得する。
通常撮像素子１６として１次元ＣＣＤが用いられ、レンズ１３はコンタクトガラス２１面に対して縮小して１次元撮像素子１６上に結像している。ここで第２走行体１４が走査する方向を副走査方向と呼び、１次元撮像素子１６が読み取る画像方向を主走査方向と呼ぶ。
通常スキャナの画像解像度はＤＰＩ（ドット／インチ）で表され、デジタルＰＰＣに搭載されるスキャナは４００ないし６００ＤＰＩである場合が多い。
【０００８】
図３は本発明による画像読み取り装置の第１実施形態を示す概略図である。図３において画像読み取り装置は原稿２０を照明する照明ランプ２２と、原稿２０を保持するコンタクトガラス２１と、照明ランプ２２の照明光を反射して原稿２０を照明するリフレクタ２３からなる。
本実施形態にて、更に、画像読み取り装置は、照明ランプ２２から原稿面に到達するはずの照明光の一部を反射させる反射板（反射手段）２７を有し、また、例えばガラスミラー、原稿２０を反射した光画像を撮像素子１６であるＣＣＤに結像させる結像素子２６であるレンズを有する。
反射板２７は、照明ランプ２２の照明光が照射される開口部２２ａ上部（原稿面側）の一部を覆うように配置されていて、さらに読み取り位置２８からレンズ２６を通じて撮像素子１６へ到達する結像光を遮らないような位置に配置される。
開口型の照明ランプ２２は、傾斜角にもよるが、光学的に開口中心線より上側に最大照度の位置になることが知られている。この最大照度の位置が原稿２０の読み取り位置２８（読み取りライン上の原稿位置）から離れるほど２次照明光の影響が多大になることも解っている。
そこで反射板２７は、読み取り位置２８の照明光には影響しないが、最大照度が出現する読み取り位置３１の周辺位置の照明光を反射するような位置に配置されている。ＯＲＡ社の照明シミュレータ、ライトツール（ＬｉｇｈｔＴｏｏｌｓ）や照度分布計測実験などによって最適な位置を求めることができる。
【０００９】
図４は図３の照明ランプ２２の第１の例を示す概略斜視図である。図５は図４の照明ランプ２２と反射板２７を示す概略断面図である。図６は図５の反射板２７と異なる形状の反射板２７を示す概略断面図である。図７は図４の照明ランプ２２と遮光板３２を示す概略断面図である。
図４ないし図７において、照明ランプ２２はキセノンランプであり、図５では開口部２２ａの上方に平面形状の反射板２７が配置されている。一方、図６では開口部２２ａの上方に曲面形状の反射板２７が配置されている。さらに、図７では図５および図６の反射板２７を一部に有する遮光板３２が配置されている。
図８は図３の照明ランプの第２の例を示す概略断面図である。図８において、照明ランプ２２はハロゲンランプであり、このハロゲンランプをリフレクタ２３が取り囲み、反射板２７への光路のみを開放する。
図９は図３の照明ランプ２２の第３の例を示す概略斜視図である。図９においてランプ２２はＬＥＤアレイランプであり、反射板２７はＬＥＤアレイランプの枠体のように構成される。
また、図４のキセノンランプのように、反射板２７自体は、図５ないし図７に示すように、板状のもの、曲面形状のもの（例えば、円、楕円など）、遮光板３２の一部が鏡面で平板形状でもよい。
図７に示す遮光板３２は、例えば黒艶消し塗装のアルミ部材で、少なくともランプ開口部２２ａの上にあたる部分に鏡面加工が施されているものである。図８のハロゲンランプ２２ではリフレクタ２３の一部を反射板２７にしてもよいし、図９のＬＥＤアレイランプではアレイの筐体を図８と同様の構成ができる。
反射板２７は、例えば、いわゆる鏡、アルミなどの金属を鏡面加工したもの、またはガラス、フィルム、プラスチックなどの表面に鏡面を薄膜形成したものでもよい。
なお、反射板２７は鏡面であることが望ましいが、反射率が約８０％以上であれば完全な鏡面でなくてもよい（ここでの「鏡面」とは、反射率が十分に高いという意味で用いる）。
【００１０】
図１０は画像読み取り装置２８に関する動作と作用の説明図である。図１１は反射板２７を配置した構成の動作と作用の説明図である。
照明ランプ２２から照射された照明光２は、図１０のように通常リフレクタ２３を反射するか、もしくは直接原稿２０を照明する。読み取り位置２８の原稿濃度に応じた原稿面反射光が、結像素子２６のレンズを通じて撮像素子１６のＣＣＤに結像し（図３参照）、原稿２０を読み取る。
ここで、従来のように単純に遮光板３２（例えば図７の反射板２７が無いもの）を設置して、遮光しただけでは光量が著しく低下してしまうという問題が発生する。
反射板２７は照明ランプ２２から照射された２次照明光（とくに最大照度になる読み取り位置３１の周辺部（図３参照）を照明する光）になる可能性の高い開口部２２ａを覆っているので、この部分に当る照明光２は、反射板２７で反射した後、リフレクタ２３へ向かって送られる。
この積極的に照明光をリフレクタ２３へ送る作用により、読み取り位置以外での光量を減らし読み取り位置に最大照度をもたらすようにすることで「フレア現象」を低減することができる。さらにリフレクタ２３へ送った照明光は、原稿２０を照明するので、読み取り位置の全体光量の低下を避ける作用がある。
この光量低下を避ける作用は画像読み取り装置で２次照明光が発生する限り、キセノンランプ、ハロゲンランプ、ＬＥＤアレイランプなどランプ２２の種類を問わずに作用するのは明らかである。
【００１１】
図１２は第１の反射集光手段の構成および作用を説明する概略図である。図１３は第２の反射集光手段の構成および作用を説明する概略図である。
反射手段を照明ランプ２２の開口部２２ａから離れた位置に配置する場合、図１１のように単なる１枚平板タイプの反射板２７では照明ランプ２２から離れるほど戻す照明光の光量が減少するばかりでなく、反射板２７に反射した光が照明ランプ以外の部品に反射して迷光となる。
そこで反射手段に集光機能を付加して反射集光手段３３とし、リフレクタ２３にこの照明光を戻す構成とする。反射集光手段３３は、例えば、図１２および図１３に示すように反射板の断面形状として球面形状、楕円形状、自由曲面形状などや平板の多段形状（平面の組み合わせ）により構成する。
この機能により、照明光を送る位置を制御でき、照明ランプ２２から離れてもリフレクタ２３に戻す反射光の光量を減らさない作用がある。集光した照明光をリフレクタ２３に送ることで、リフレクタ２３に送られない光をなくし、最大照度位置と読み取り位置をほぼ一致させることで照明効率が良くなるという効果がある。
【００１２】
図１４は反射集光手段とリフレクタに関する構成を示す概略図である。図１５は反射集光手段とリフレクタに関する構成の第１の変形例を示す概略図である。
画像読み取り装置において、リフレクタ２３と反射手段２７、３３は、読み取り位置を中心に左右の位置に配置されている。
したがって、照明ランプ２２からの照明光を原稿面に反射させるリフレクタ２３では、反射手段２７から離れるほど送る照明光の光量が減少するばかりでなく、リフレクタ２３に反射した光が原稿２０面以外の部分で反射して迷光となる可能性が高くなる。
そこで反射手段２７に対して原稿２０面に効率良く照明光を送るためにリフレクタ手段を照明ランプ２２用のリフレクタ（第１リフレクタ）２３とは別に照明用リフレクタ３４として構成する（図１４）。
反射手段２７、３３からの照明光は、なるべく照明用リフレクタ２３より下にくるように角度を調整し、照明用リフレクタ２３の下に反射手段用のリフレクタ手段３４を構成する。
反射手段専用のリフレクタ（第２リフレクタ）３４を備えることで反射手段２７、３３から反射してくる照明光を減少させることなく読み取り位置の原稿２０面に送ることができ、照明効率が良くなる作用がある。また照明効率を維持しながら２次照明光を減らして画像品質を良くする作用がある。
図１４および図１５において、反射集光板３３は図１４では曲面型、図１５では平面多段型として構成されている。
画像読み取り装置において、図１４および図１５に示すリフレクタ手段３４は、反射手段（反射集光板）３３とは読み取り位置を中心に反対の位置に配置されているので、反射手段３３から離れるほど送る照明光の光量が減少するばかりでなく、第２リフレクタ３４に反射した光が原稿２０面以外の部分に照明されて迷光となる可能性が高くなる。
そこで反射手段３３に集光機能を付加して反射集光手段（反射集光板）とすると共に、第２リフレクタ３４に照明光を戻す反射集光手段の構成とする。図１６は反射集光手段とリフレクタの構成の第２の変形例を示す概略図である。
【００１３】
図１７は反射集光手段とリフレクタの構成の第３の変形例を示す概略図である。反射集光手段は、例えば、図１６に示すように第２リフレクタ３４に球面形状、楕円形状、自由曲面形状などや図１７に示す平板の多段形状により構成される。
この機能により、照明光を送る位置を制御でき、反射手段２７から離れても原稿２０面に送る照明光の光量を減らさない作用がある。リフレクタ３４で集光した照明光を送ることで、原稿２０面に送られない光を減らし、最大照度位置と読み取り位置をほぼ一致させることで照明効率が良くなるという作用がある。
図１８はリフレクタの第１の変形例を示す概略図である。画像読み取り装置において、リフレクタ手段（第２リフレクタ）３４に拡散手段３５として、例えば、液晶のバックライトの拡散に使用される拡散膜を設ける。
この拡散手段３５の拡散膜はリフレクタ手段（第２リフレクタ）３４に貼り付ける、リフレクタ手段３４の表面をサンドブラストする、酸化マグネシウムを塗布・焼付けるなどして構成する。
これにより原稿２０面の読み取り位置以外で反射した２次照明光が再度リフレクタ手段３４へ戻っても拡散されることで減少し、フレア現象の影響を小さくできるという作用がある。
【００１４】
図１９はリフレクタの第２の変形例を示す概略図である。画像読み取り装置において、リフレクタ手段３４に減反射手段３６として、例えば、リフレクタ手段３４の表面に反射率が９０％から８０％のＮＤフィルタやプラスチック板などを接着して拡散膜３６を構成する。
これにより原稿２０面の読み取り位置以外で反射した２次照明光が再度リフレクタ手段３４へ戻っても拡散されることで減少し、フレア現象の影響を小さくできるという作用がある。
照明ランプ２２から原稿２０に照射された光が反射して、その反射光が照明ランプ２２内に到達して再度原稿を２次照明する現象が発生する前に、２次照明光になる可能性の高い照明光の一部を、照明ランプ２２と原稿２０の間に設置された反射手段２７により反射させて積極的にリフレクタ２３に反射させる。
それによって、原稿２０の濃淡による２次照明光の影響がなくなり、高品質に原稿２０の画像を読み取ることができるといった効果を有する。また、リフレクタ２３に送った照明光は常に一定であり、戻った光も照明光として照射されるので全体光量が落ちないという効果がある。
集光手段によりリフレクタ２３に効率良く集光して照明光量を確保することができ、同時に２次照明光を低減できるので、原稿２０の濃淡による２次照明光の影響がなくなり、高品質に原稿の画像を読み取ることができるといった効果を有する。
前記集光手段が曲面状に形成されているので、効率良く集光して照明光量を確保することができ、同時に２次照明光を低減できるので、原稿の濃淡による２次照明光の影響がなくなり、より高品質に原稿の画像を読み取ることができるといった効果を有する。
集光手段が、曲面に近似した少なくとも１つの平板で構成されているので、加工が容易になり、コストが低減できる。
【００１５】
リフレクタ２３は、照明ランプ２２からの光と反射手段２７の反射光を別々に効率良く原稿２０に照明することで、照明光量を低下させることなく、かつ主な２次照明光を低減できるので、より高品質に原稿の画像を読み取ることができる。
リフレクタの集光手段は、効率良く原稿２０面に反射手段２７の光を照明できるので、全体照明光量を低下させることなく２次照明光を低減できるので、より高品質に原稿の画像を読み取ることができる。
リフレクタの集光手段は、曲面から構成されることで効率良く原稿２０面に反射手段２７の光を照明できるので、全体照明光量を低下させることなく主な２次照明光を減少できるので、原稿２０の濃淡による２次照明光の影響がなくなり、より高品位に原稿面を照明できる。
リフレクタ３４の集光手段は、曲面に近似した少なくとも１つの平板で複数多段平面型として構成されているので、加工が容易になり、コストが低減できるといった効果を有する。
拡散手段３５は、原稿２０面からリフレクタ３４に戻った主な２次照明光を拡散させることで減少させ、原稿２０の濃淡による２次照明光の影響が少なくなり、より高品位に原稿２０面を照明できるといった効果を有する。
減反射手段３６は、反射率を減らすことで原稿２０面からリフレクタ３４に戻った主な２次照明光を減少させ、原稿２０の濃淡による２次照明光の影響が少なくなり、より高品位に原稿面を照明できるといった効果を有する。
【産業上の利用可能性】
【００１６】
以上のように、本発明にかかる画像読み取り装置は、照明光の有効利用並びにフレア光の減少に有用であり、特に、ＰＰＣの画像読み取りに適している。
【図面の簡単な説明】
【００１７】
【図１】本発明の画像読み取り装置の構成を示す概略斜視図である。
【図２】図１の画像読み取り装置の側面図である。
【図３】本発明による画像読み取り装置の第１の実施の形態を示す概略図である。
【図４】図３のランプの第１の例を示す概略斜視図である。
【図５】図４のランプと反射板を示す概略断面図である。
【図６】図５の反射板と異なる形状の反射板を示す概略断面図である。
【図７】図４のランプと遮光板を示す概略断面図である。
【図８】図３のランプの第２の例を示す概略断面図である。
【図９】図３のランプの第３の例を示す概略斜視図である。
【図１０】画像読み取り装置に関する動作と作用の説明図である。
【図１１】反射板を配置した構成の動作と作用の説明図である。
【図１２】第１の反射集光手段の構成および作用を説明する概略図である。
【図１３】第２の反射集光手段の構成および作用を説明する概略図である。
【図１４】反射集光手段とリフレクタに関する構成を示す概略図である。
【図１５】反射集光手段とリフレクタに関する構成の第１の変形例を示す概略図である。
【図１６】反射集光手段とリフレクタの構成の第２の変形例を示す概略図である。
【図１７】反射集光手段とリフレクタの構成の第３の変形例を示す概略図である。
【図１８】リフレクタの第１の変形例を示す概略図である。
【図１９】リフレクタの第２の変形例を示す概略図である。
【図２０】フレア現象を説明するための、画像読み取り装置における照明関係図である。
【図２１】図２１はフレア現象が生じている画像読み取り装置による読み取り画像例を示す図である。
【符号の説明】
【００１８】
１１  画像読み取り装置、１６  １次元撮像装置（撮像素子）、２０  原稿、２１  コンタクトガラス、２２  照明ランプ、２２ａ  開口部、２３  リフレクタ（第１リフレクタ）、２４  撮像領域、２６  結像手段（結像素子、結像レンズ）、２７  反射手段（反射板）、２８  読み取り位置、３２  遮光板、３３  反射集光手段（反射集光板）、３４  リフレクタ手段（第２リフレクタ）、３５  拡散手段（拡散膜）、３６  減反射手段（減反射膜）
【図１】
2005229429.tif 000003
【図２】
2005229429.tif 000004
【図３】
2005229429.tif 000005
【図４】
2005229429.tif 000006
【図５】
2005229429.tif 000007
【図６】
2005229429.tif 000008
【図７】
2005229429.tif 000009
【図８】
2005229429.tif 000010
【図９】
2005229429.tif 000011
【図１０】
2005229429.tif 000012
【図１１】
2005229429.tif 000013
【図１２】
2005229429.tif 000014
【図１３】
2005229429.tif 000015
【図１４】
2005229429.tif 000016
【図１５】
2005229429.tif 000017
【図１６】
2005229429.tif 000018
【図１７】
2005229429.tif 000019
【図１８】
2005229429.tif 000020
【図１９】
2005229429.tif 000021
【図２０】
2005229429.tif 000022
【図２１】
2005229429.tif 000023